(57)【要約】【課題】  泥棒による家屋侵入を困難にする工夫と、泥棒に狙われ難くする工夫とをわかり易く説明することができる防犯住宅解説装置を提供する。【解決手段】  住宅展示棟１０内に設けられてなり、住宅建物の外観を模した間仕切り壁１１周縁に玄関口１２および塀１３が設けられて玄関アプローチ２および勝手口通路３が形成され、玄関口１２は、道路側から玄関アプローチ２を透視できる門扉１２ａが設けられ、塀１３は、その背後に人が隠れることが困難な高さの低い土台１３ａ上に、道路側から勝手口通路３を透視できる塀本体１３ｂが設けられ、勝手口通路３のレール４１上を泥棒を模した人形の模型４が走行する時に、玉砂利３１の上を人が歩く際の足音が流れ、この模型４が玄関アプローチ２に近づいて来た際にセンサーライト５が点灯するようになされた防犯住宅解説装置１。【選択図】  図１
2005249900.tif 000002
【特許請求の範囲】
【請求項１】
住宅展示棟内に設けられてなり、住宅建物の外観を模した間仕切り壁が設けられるとともに、この間仕切り壁周縁に玄関口および塀が設けられて玄関アプローチおよび勝手口通路が形成されてなり、
玄関口は、道路側から玄関アプローチを透視できるようになされた門扉が設けられ、
塀は、その背後に人が隠れることが困難な高さとなされた低い土台上に、道路側から勝手口通路を透視できるようになされた塀本体が設けられ、
勝手口通路には、玉砂利が設けられるとともに、レールが敷設され、このレール上を泥棒を模した人形の模型が走行可能となされ、模型の走行時には、玉砂利の上を人が歩く際の足音が流れるようになされるとともに、玄関アプローチ近傍の間仕切り壁にセンサーライトが設けられ、レールを走行する模型が玄関アプローチに近づいて来た際に模型を察知してセンサーライトが点灯するようになされたことを特徴とする防犯住宅解説装置。
【請求項２】
勝手口通路に面した間仕切り壁には、外からドライバーで外すことができないようになさた格子を有する窓、二個の鍵を有する窓、人の接近を感知して点灯するセンサーライトを有するドア、のうち、少なくとも何れか一つ以上が設けられ、泥棒を模した模型がそれぞれの前を通過する際に、それぞれの防犯機能を説明する音声が流れるようになされた請求項１記載の防犯住宅解説装置。
【発明の詳細な説明】
【技術分野】
【０００１】
本発明は、泥棒による家屋侵入を困難にする工夫と、泥棒に狙われ難くする工夫とが施された住宅建物の構造をわかり易く説明するための解説装置に関するものである。
【背景技術】
【０００２】
従来より、住宅建物においては、泥棒などが家屋内に侵入しないように、数々の防犯対策が施されている。
【０００３】
これらの防犯対策は、住宅建物のカタログに紹介したり、展示住宅に訪れた購入予定者に、口頭で説明したりしていた。そして、この説明によって、防犯対策に優れた住宅建物とはどのようなものであるのかを理解してもらっていた。
【発明の開示】
【発明が解決しようとする課題】
【０００４】
しかし、防犯に関して専門知識の無い者がカタログのみで説明することは難しく、展示住宅に訪れた購入予定者に対しても充分に説明することができない。
【０００５】
本発明は、係る実情に鑑みてなされたものであって、泥棒による家屋侵入を困難にする工夫と、泥棒に狙われ難くする工夫とをわかり易く説明することができる防犯住宅解説装置を提供することを目的としている。
【課題を解決するための手段】
【０００６】
上記課題を解決するための本発明の防犯住宅解説装置は、住宅展示棟内に設けられてなり、住宅建物の外観を模した間仕切り壁が設けられるとともに、この間仕切り壁周縁に玄関口および塀が設けられて玄関アプローチおよび勝手口通路が形成されてなり、玄関口は、道路側から玄関アプローチを透視できるようになされた門扉が設けられ、塀は、その背後に人が隠れることが困難な高さとなされた低い土台上に、道路側から勝手口通路を透視できるようになされた塀本体が設けられ、勝手口通路には、玉砂利が設けられるとともに、レールが敷設され、このレール上を泥棒を模した人形の模型が走行可能となされ、模型の走行時には、玉砂利の上を人が歩く際の足音が流れるようになされるとともに、玄関アプローチ近傍の間仕切り壁にセンサーライトが設けられ、レールを走行する模型が玄関アプローチに近づいて来た際に模型を察知してセンサーライトが点灯するようになされたものである。
【０００７】
また、上記課題を解決するための本発明の防犯住宅解説装置は、上記防犯住宅解説装置において、勝手口通路に面した間仕切り壁には、外からドライバーで外すことができないようになさた格子を有する窓、二個の鍵を有する窓、人の接近を感知して点灯するセンサーライトを有するドア、のうち、少なくとも何れか一つ以上が設けられ、泥棒を模した模型がそれぞれの前を通過する際に、それぞれの防犯機能を説明する音声が流れるようになされたものである。
【発明の効果】
【０００８】
以上述べたように、本発明によれば、住宅建物における泥棒による家屋侵入を困難にする工夫や泥棒に狙われ難くする工夫を、わかり易く説明することができる。
【発明を実施するための最良の形態】
【０００９】
以下、本発明の実施の形態を図面を参照して説明する。
【００１０】
図１は防犯住宅解説装置１の全体構成の概略を示している。
【００１１】
すなわち、この防犯住宅解説装置１は、住宅展示棟１０内に設けられて一室を構成するようになされており、住宅建物の外観を模した間仕切り壁１１が設けられるとともに、この間仕切り壁１１の周縁に玄関口１２および塀１３が設けられて玄関アプローチ２および勝手口通路３が形成されており、泥棒を模した人形の模型４が勝手口通路３を走行するようになされるとともに、玄関アプローチ２の近傍の間仕切り壁１１にセンサーライト５が設けられている。
【００１２】
間仕切り壁１１は、住宅建物の外観を模した外壁パネルによって形成されている。このうち、一面に設けられた間仕切り壁１１には、玄関ドア１１ａが設けられ、この玄関ドア１１ａに隣接した位置にはスリット窓１１ｂが設けられている。また、この間仕切り壁１１に隣接して直交する間仕切り壁１１には、玄関ドア１１ａが設けられた間仕切り壁１１から近い順に、掃き出し窓６、格子７０を有する腰窓７、センサーライト８０を有する勝手口ドア８が、それぞれ設けられている。玄関ドア１１ａから入った内側は、居住空間が構成されず、玄関ドア１１ａとスリット窓１１ｂとをつなぐ通路１１ｃが形成されているのみとなっている。また、掃き出し窓６、腰窓７、勝手口ドア８の向こう側は、住宅展示棟１０の隣室１０ａとつながっている。
【００１３】
玄関口１２は、玄関ドア１１ａと平行して設けられており、この玄関口１２と玄関ドア１１ａとの間には、玄関アプローチ２の空間が設けられている。玄関口１２は、一対の門扉１２ａを玄関口１２の両側に設けられた一対の門柱１２ｂに回動可能に取り付けて構成されている。門扉１２ａは、道路に見立てた通路Ａ側から玄関アプローチ２を容易に透視することができるように、充分に隙間のあるフレームで組み立てられたものが使用されている。この玄関アプローチ２の床面は、外床タイル２１で仕上げられている。
【００１４】
塀１３は、勝手口ドア８が設けられた間仕切り壁１１と平行して設けられており、この塀１３と間仕切り壁１１との間には、勝手口通路３が設けられている。塀１３は、その背後に人が隠れることが困難な高さとなされた低い土台１３ａ上に、塀本体１３ｂを設けて構成されている。塀本体１３ｂは、道路に見立てた通路Ａ側から勝手口通路３を容易に透視することができるように、充分に隙間のあるフレームで組み立てられたものが使用されている。この勝手口通路３には、玉砂利３１が設けられ、この玉砂利３１の上を人が歩いた際に、玉砂利３１による足音が発生して気配を感じることができるようになされている。また、この勝手口通路３には、玄関アプローチ２に面した掃き出し窓６の位置から、塀１３と平行してレール４１が設けられている。このレール４１は、掃き出し窓６、腰窓７、勝手口ドア８の前方を通過するように設けられている。
【００１５】
泥棒を模した人形の模型４は、このレール４１の上を移動することができるようになされている。この模型４は、モーターやアエシリンダー（図示省略）などで駆動する模型本体の表面を泥棒を模した人形の着ぐるみで被覆して構成されており、起動によって、泥棒が勝手口通路３を用心深く歩いている様子を表現するようになされている。この模型４は、玄関ドア１１ａから最も離れたレール４１の一端側にスタンバイするようになされており、スイッチ（図示省略）を入れて作動させると、勝手口ドア８、腰窓７、掃き出し窓６の順に通過して最後に、レール４１の他端側の位置に到るようになされている。そして、模型４が勝手口ドア８、腰窓７、掃き出し窓６、センサーライト５のそれぞれを通過する際に、これら勝手口ドア８、腰窓７、掃き出し窓６、センサーライト５のそれぞれについての泥棒の解説が、模型４の動きと連動して放送されるようになされている。
【００１６】
センサーライト５は、スリット窓１１ｂの近傍に設けられ、玄関ドア１１ａの付近の玄関アプローチ２に人が近づくと点滅して人の気配があることを視覚的に強調するようになされている。
【００１７】
掃き出し窓６は、室内側から二つの鍵を施錠することができるようになされ、しかも防犯合わせガラスによって形成されている。泥棒が掃き出し窓６から家屋内部に侵入する場合、鍵の付近で窓ガラスを割り、この割れた部分から内部の鍵を開錠することによって行われるが、この鍵が二つもあり、しかも防犯合わせガラスで割り難くなっていることから、家屋内部への侵入は困難となる。このような趣旨の泥棒のつぶやきは、模型４が掃き出し窓６の位置に近づいた際に放送される。
【００１８】
腰窓７は、外部からドライバーなどで外すことができないようになさた格子７０を有するようになされている。泥棒がこのような腰窓７から家屋内部に侵入する場合、ドライバーなどで格子７０を外部側から外して行われるが、格子７０自体が外部から外すことができないようになされていることから、家屋内部への侵入は困難となる。このような趣旨の泥棒のつぶやきは、模型４が腰窓７の位置へ近づいた際に放送される。
【００１９】
勝手口ドア８は、人の接近を感知して点灯するセンサーライト８０を有するようになされている。泥棒が勝手口ドア８から家屋内部に侵入する場合、勝手口ドア８の鍵を壊して行われるが、泥棒の接近によってセンサーライト８０が点灯し、勝手口ドア８の付近が明るくなるため、開錠作業がやり難くなって家屋内部への侵入は困難となる。このような趣旨の泥棒のつぶやきは、模型４が勝手口ドア８の位置へ近づいてセンサーライト８０が点灯した際に放送される。
【００２０】
次に、このようにして構成される防犯住宅解説装置１の使用方法について説明する。
【００２１】
まず、住宅展示棟１０の案内員は、見学に訪れた住宅建物１１の購入予定者を、道路に見立てた通路Ａに案内する。案内後、スイッチ（図示省略）を押すと、自動的に照明が落ちて少し暗くなり、レール４１の一端側から泥棒を模した人形の模型４が動き出す。
【００２２】
模型４が勝手口通路３を動き始めると、先ず最初に、塀１３の土台１３ａの背後に隠れることができず、かつ、道路に見立てた通路Ａ側から塀本体１３ｂを介して勝手口通路３が見通されて侵入し難い旨の泥棒の解説が放送される。
【００２３】
ついで、模型４の動きと一緒に玉砂利３１の上を人が歩いた際に発生する足音が放送され、気配を消すことが難しい旨の泥棒の解説が放送される。
【００２４】
その後、勝手口ドア８の位置に模型４が近づくと、勝手口ドア８からの侵入を図ろうとする泥棒の思惑が放送されるが、センサーライト８０が点灯して勝手口ドア８の周縁が明るくなり、気配を消すことが難しくなり、勝手口ドア８からの侵入ができない旨の泥棒の解説が放送される。
【００２５】
次に、腰窓７の位置に模型４が近づくと、格子７０を外して腰窓７からの侵入を図ろうとする泥棒の思惑が放送されるが、外側からドライバーで外すことができない格子７０であることが解説され、この腰窓７からの侵入が難しい旨の泥棒の解説が放送される。
【００２６】
次に、掃き出し窓６の位置に模型４が近づくと、掃き出し窓６からの侵入を図ろうとする泥棒の思惑が放送されるが、二つの鍵を有する掃き出し窓６であることが解説され、この掃き出し窓６からの侵入が難しい旨の泥棒の解説が放送される。
【００２７】
そして、玄関ドア１１ａの方へ向かおうとする模型４が玄関アプローチ２の位置に近づくと、玄関ドア１１ａやスリット窓１１ｂからの侵入を図ろうとする泥棒の思惑が放送されるが、センサーライト５が点滅して気配を消すことが難しくなり、玄関ドア１１ａやスリット窓１１ｂからの侵入ができない旨の泥棒の解説が放送される。
【００２８】
最後に、レール４１の一端側から他端側へと動いて来た模型４は、元の一端側へと動き出し、家屋侵入が出来なかった泥棒が撤退する旨の解説が放送された後、全体の照明が明るくなって防犯住宅解説装置１による解説が終了する。
【００２９】
このように、本発明の防犯住宅解説装置１によると、案内員は、住宅建物の購入予定者を道路に見立てた通路Ａに案内するだけで、後はスイッチ（図示省略）を入れて防犯住宅解説装置１を作動させれば、泥棒による家屋侵入を困難にする工夫と、泥棒に狙われ難くする工夫を、この防犯住宅解説装置１が、自動的に判り易く解説することとなる。この際、防犯住宅解説装置１は、住宅展示棟１０内に実際の住宅建物の外観を再現するように形成されており、泥棒を模した人形の模型４が実際に家屋に侵入しようと試みるようになされているので、購入予定者は、容易に理解することができる。
【００３０】
なお、本実施の形態において、家屋侵入解説装置１は、泥棒による家屋侵入を困難にする工夫および泥棒に狙われ難くする工夫として、玉砂利３１の音、視認性の高い塀１３、勝手口８のセンサーライト８０、外から外すことができない格子７０を有する腰窓７、二つの鍵を有する掃き出し窓６、センサーライト５、視認性の高い玄関口１２が挙げられているが、これらのうち少なくとも一つ以上を有するようになされた家屋侵入解説装置１であってもよい。
【００３１】
また、本実施の形態において、家屋侵入解説装置１は、スイッチ（図示省略）を押すことによって自動的に解説するようになされているが、このようなスイッチ（図示省略）によって始動するようになされたものに限定されるものではなく、通路Ａに人が来たことを、センサーなどで感知して自動的にスタートするようになされたものであってもよいし、人の有無に関係無く自動的に解説を反復するようになされたものであってもよい。
【００３２】
さらに、本実施の形態では、泥棒を模した人形の模型４の動きに合わせて泥棒がつぶやく形で、泥棒による家屋侵入を困難にする工夫や泥棒に狙われ難くする工夫を解説するようになされていることで、泥棒の行為により現実味を持たせるように工夫しているが、案内員が模型４の動きに合わせて解説するものであってもよい。
【産業上の利用可能性】
【００３３】
住宅建物の販売促進を図る装置として利用できる。
【図面の簡単な説明】
【００３４】
【図１】本発明に係る防犯住宅解説装置の全体構成の概略を示す斜視図である。
【符号の説明】
【００３５】
１  防犯住宅解説装置
１０  住宅展示棟
１１  間仕切り壁
１２  玄関口
１２ａ  門扉
１３  塀
１３ａ  土台
１３ｂ  塀本体
２  玄関アプローチ
３  勝手口通路
３１  玉砂利
４  模型
４１  レール
５  センサーライト
６  掃き出し窓
７  腰窓
７０  格子
８  勝手口ドア
８０  センサーライト
Ａ  通路
【図１】
2005249900.tif 000003